(57)【要約】【課題】  屋内でも練習が行え、マット全体の形状変更の自由度が大きいゴルフ用パター練習マットを提供すること。【解決手段】  本発明は、正方形単位マットＢ（Ｂ１，Ｂ２）と該正方形単位マットＢ（Ｂ１，Ｂ２）が分割されてなる三角形状単位マットＡ（Ａ１，Ａ２）との連結により構成される一定面積を有するゴルフ用パター練習マットである。また、三角形状単位マットＡ（Ａ１，Ａ２）にボール孔Ｈが形成されており、正方形単位マットＢ（Ｂ１，Ｂ２）にボール孔Ｈが形成されているゴルフ用パター練習マット。【選択図】図９
2013226329.tif 000002
【特許請求の範囲】
【請求項１】
正方形単位マットと該正方形単位マットが分割されてなる三角形状単位マットとの連結により構成される一定面積を有するゴルフ用パター練習マット。
【請求項２】
三角形状単位マットにボール孔が形成されていることを特徴とする請求項１記載のゴルフ用パター練習マット。
【請求項３】
正方形単位マットにボール孔が形成されていることを特徴とする請求項１記載のゴルフ用パター練習マット。
【請求項４】
三角形状単位マットにボール孔が形成されていないことを特徴とする請求項１記載のゴルフ用パター練習マット。
【請求項５】
三角形状単位マットの偏心した位置にボール孔が形成されていることを特徴とする請求項１記載のゴルフ用パター練習マット。
【請求項６】
正方形単位マットの偏心した位置にボール孔が形成されていることを特徴とする請求項１記載のゴルフ用パター練習マット。
【請求項７】
ボール孔にキャップ枠が取り外し自在に設けられていることを特徴とする請求項２記載のゴルフ用パター練習マット。
【発明の詳細な説明】
【技術分野】
【０００１】
本発明はゴルフの練習をしようとするマットに関し、更に詳しくは、ゴルフにおけるパターの練習に使用するゴルフ用パター練習マットに関する。
【背景技術】
【０００２】
一般に、ゴルフ上達のための練習は、広い敷地をもつゴルフ練習場で行われる。
その場合は、主としてボールを遠くに飛ばす練習が行われるため、ドライバーやアイアンといった飛距離用のゴルフクラブに使用が限定される。
一方、パターの練習は屋内でパター練習用のマットを使って行われている。
この場合は、模擬芝目を備えた長尺のマットを床等に敷き、その上でボールを繰り返し転がすことにより練習が行われる。
このような、いわゆるパター練習用マットとしては、種々のものが開発されている（例えば、特許文献１、特許文献２参照）。
しかし、一枚のマット自体の形は決まっていて、異なった形のグリーンを想定し球筋の異なった練習をしようとしても無理である。
購入したマットの大きさや形に限定されるのである。
【０００３】
このようなことから、マット自体の形を変更設定できるパター練習用マットが提案されている（例えば、特許文献３、特許文献４参照）。
このマットは、分割した矩形のマットを組み合わせて使用するものであり、縦方向や横方向への継ぎ足しが可能でマット全体の面積を大きくでき、更に延長も可能である。
そのため字際のコースの想定される異なったグリーンの形に対応した練習ができる。
しかし、マットの全体の形は、正方形単位マットを組み合わせるために、延長する形も自ずと正方形の単位の延長になって限定されてしまう。
実際のグリーンは、複雑な形をしていて変化に富んでおり、このようなものに対応できるものが望まれていた。
【先行技術文献】
【特許文献】
【０００４】
【特許文献１】特開２００３−１９２３８号公報
【特許文献２】特開２００９―１０１１４８号公報
【特許文献３】特開平１０−３１４３６０号公報
【特許文献４】特開２００７―２０２４９６号公報
【発明の概要】
【発明が解決しようとする課題】
【０００５】
本発明は、上記事情に鑑みてなされたものであり、屋内でも練習が行え、マット全体の形状変更の自由度が大きいゴルフ用パター練習マットを提供することを目的とする。
【課題を解決するための手段】
【０００６】
本発明者らは、上記課題を解決するため鋭意検討したところ、意外にも三角形状の単位マットを備えることにより、上記課題を解決し得ることを見出し、この知見により本発明を完成するに到った。
【０００７】
すなわち、本発明は、（１）、正方形単位マットと該正方形単位マットが分割されてなる三角形状単位マットとの連結により構成される一定面積を有するゴルフ用パター練習マットに存する。
【０００８】
また、本発明は、（２）、三角形状単位マットにボール孔が形成されている上記（１）記載のゴルフ用パター練習マットに存する。
【０００９】
また、本発明は、（３）、正方形単位マットにボール孔が形成されている上記（１）記載のゴルフ用パター練習マットに存する。
【００１０】
また、本発明は、（４）、三角形状単位マットにボール孔が形成されていない上記（１）記載のゴルフ用パター練習マットに存する。
【００１１】
また、本発明は、（５）、三角形状単位マットの偏心した位置にボール孔が形成されている上記（１）記載のゴルフ用パター練習マットに存する。
【００１２】
また、本発明は、（６）、正方形単位マットの偏心した位置にボール孔が形成されている上記（１）記載のゴルフ用パター練習マットに存する。
【００１３】
また、本発明は、（７）、キャップ枠が取り外し自在に設けられている上記（２）記載のゴルフ用パター練習マットに存する。
【発明の効果】
【００１４】
本発明のゴルフ用パター練習マットは、正方形単位マットと該正方形単位マットが分割されてなる三角形状単位マットとの連結により構成される一定面積を有するものなので、複数個連結することにより、簡単に延長拡大することができる。
しかもマットの全体の形の自由度が高まり、実際のグリーンを想定したものにし易い。
三角形状単位マットの偏心した位置にボール孔が形成されていることで、ボール孔を形成する面積が十分確保できる。
【図面の簡単な説明】
【００１５】
【図１】図１は、ボール孔を備えない三角形状単位マットを示す図であり、図１（Ａ）と図１（Ｃ）は、それぞれ対のものを示し、図１（Ｂ）は、図１（Ａ）の側面を示す。
【図２】図２は、ボール孔を備える三角形状単位マットを示す図であり、図２（Ａ）と図２（Ｂ）は、それぞれ対のものを示す。
【図３】図３は正方形単位マットを示す図であり、図３（Ａ）は、ボール孔を備えない正方形単位マットを示し、図３（Ｂ）は、ボール孔を備える正方形単位マットを示す。
【図４】図４は、三角形状単位マットの短辺に、同じく三角形状単位マットの短辺を突き合わせて連結したマットを示す図であり、図４(Ａ)は、両方ともボール孔を備えないもの、図４（Ｂ）は、一方がボール孔を備えたものを示す。
【図５】図５は、三角形状単位マットの長辺に、同じく対となる三角形状単位マットの長辺を突き合わせて連結したマットを示す図であり、図５(Ａ)は、両方ともボール孔を備えないもの、図５（Ｂ）は、一方がボール孔を備えたものを示す。
【図６】図６は、正方形単位マットの辺に、同じく正方形単位マットの辺を突き合わせて連結したマットを示す図であり、図６(Ａ)は、両方ともボール孔を備えないもの、図６（Ｂ）は、一方がボール孔を備えたものを示す。
【図７】図７は、三角形状単位マットの短辺に、正方形単位マットの辺を突き合わせて連結したマットを示す図であり、図７(Ａ)は、両方ともボール孔を備えないもの、図７（Ｂ）は、一方がボール孔を備えたものを示す。
【図８】図８は、１列組み合わせの長尺型の連結マットを構成した図である。
【図９】図９は、２列組み合わせの連結マットを構成した図である。
【図１０】図１０は、３列組み合わせの連結マットを構成した図である。
【図１１】図１１は、ボール孔にキャップ枠を装着することにより落とし込み状態のボール孔にした例を示す図であり、図１１（Ａ）はキャップ枠の斜視図を示し、図１１（Ｂ）はその側面を示す。
【図１２】図１２は、鍔付のキャップ枠を装着することによりボール孔の周囲を高い状態にした例を示す図であり、図１２（Ａ）はキャップ枠の斜視図を示し、図１２（Ｂ）はその側面を示す。
【図１３】図１３は、円周方向に鍔の厚みの異なった鍔付のキャップ枠を装着した例を示す図であり、図１３（Ａ）はキャップ枠の斜視図を示し、図１３（Ｂ）はその側面を示す。。
【図１４】図１４は、キャップ枠をマットの裏面より下に突出するようにすることで、ボール孔の高さに変化を与えた例を示す図であり、図１４（Ａ）はキャップ枠の斜視図を示し、図１４（Ｂ）はその側面を示す。
【図１５】図１５は、長辺の形状の異なった三角形状単位マットを示す図であり、図１５（Ａ）は、直線の例、また図１５（Ｂ）は、嵌合のための凹凸が形成された例である。
【図１６】図１６は、単位マットの厚みに勾配を与えたものを示し、図１６（Ａ）は、単位マットの連結部分に頂点がある例、図１６（Ｂ）は、単位マットを連結して連続する傾斜面を形成した例である。
【発明を実施するための形態】
【００１６】
以下、本発明の実施形態に係るゴルフ用パター練習マットについて説明する。
ゴルフ用パター練習マットは、一定の面積を有しており、単位マットが多数個、連結して構成されるものである。
単位マットとしては、三角形状単位マットＡと正方形単位マットＢとがある。
前者の三角形状単位マットＡには、ボール孔Ｈを備えるものと、ボール孔Ｈを備えないものがある。
図１は、ボール孔Ｈを備ない三角形状単位マットＡ（Ａ１，Ａ２）を示す図であり、図１（Ａ）と図１（Ｃ）は、それぞれ対のものを示し、図１（Ｂ）は図１（Ａ）の側面を示す。
【００１７】
また図２は、ボール孔Ｈを備える三角形状単位マットＡ（Ａ３，Ａ４）を示す図であり、図２（Ａ）と、図２（Ｂ）は、それぞれ対のものを示す。
三角形状単位マットＡは、正方形単位マットＢを半分にしたような形状であり、この三角形状単位マットＡは２つを合わせて、一つの正方形単位マットＢにすることができる。
ここで三角形状単位マットＡは、２つの短辺と、一つの長辺を有する。
各短辺は同じ長さであり長辺は、曲辺、詳しくはＳ字状の曲辺に形成されている。
このＳ字状の曲辺は、対となる他の三角形状単位マットＡ２のＳ字状の曲辺と隙間なく当接可能になっており、この曲辺同士を付き合わせることにより一つの正方形単位マットＢとなる。
【００１８】
一方、短辺には、細かい凹凸が施されており単位マット同士を突き合せて連結することができる。
ボール孔Ｈを備える三角形状単位マットＡ３は、中心部より偏心した位置にボール孔Ｈが形成されている。
すなわち、Ｓ字状の曲辺によって、突状部分に広い面積領域が確保されるので、その広い部分に偏心してボール孔Ｈを形成することができる。
面積の広い部分を使ってボール孔Ｈが形成されていることから、ボール孔Ｈの周囲の領域が狭くならない。
ボール孔Ｈの周囲の幅が広くなるのでボール孔Ｈの変形等が避けられる。
また三角形状単位マットＡ１の大きさが短辺が３８ｃｍ以上の場合は、実際のコースのグリーン上のボール孔（１０.８ｃｍ）と同じ大きさ孔を十分形成することができる。
後者の正方形単位マットＢ１にも、ボール孔Ｈを備えるものと、ボール孔Ｈを備えないものがある。
【００１９】
図３は、正方形単位マットＢ（Ｂ１，Ｂ２）を示す図であり、図３（Ａ）は、ボール孔Ｈを備えない正方形単位マットＢ１を示し、図３（Ｂ）は、ボール孔Ｈを備る正方形単位マットＢ２を示す図である。
一方、三角形状単位マットＡの各短辺や正方形単位マットＢの各辺には、細かい凹凸が施されており、単位マット同士を突き合せて連結することができる。
上述した三角形状単位マットＡや正方形単位マットＢは、断面で見ると上層部Ｍ１と下層部Ｍ２の２層よりなり（図１（Ｂ）参照）、上層部が芝生状樹脂の層で、下層部が発泡樹脂の層になっている。
そのため実際のグリーンを想定したパターの練習が可能である。
【００２０】
ところで、本発明のゴルフ用パター練習マットは、連結の仕方によって種々のパターンの形に設定することができる。
例えば、三角形状単位マットＡ１の短辺に、同じく三角形状単位マットＡ６の短辺を突き合わせて連結することによって、より大きい面積を有するマットＡにできる。
【００２１】
図４は、三角形状単位マットＡ１の短辺に、同じく三角形状単位マットＡ６の短辺を突き合わせて連結したマットを示す図である。
図４(Ａ)は、両方ともボール孔Ｈを備えないもの、図４（Ｂ）は、一方がボール孔Ｈを備えたものを示す。
また、三角形状単位マットＡ１の長辺に、同じく三角形状単位マットＡ２の長辺を突き合わせて連結することによって、より大きい面積を有する矩形のマットとすることができる。
【００２２】
図５は、三角形状単位マットＡ１の長辺に、同じく三角形状単位マットＡ２の長辺を突き合わせて連結したマットを示す図である。
図５(Ａ)は、両方ともボール孔Ｈを備えないもの、図５（Ｂ）は、一方がボール孔Ｈを備えたものを示す。
また正方形単位マットＢ１の辺に、同じく正方形単位マットＢ１の辺を突き合わせて連結することによって、より大きい面積を有する矩形のマットにすることができる。
【００２３】
図６は、正方形単位マットＢ１の辺に、同じく正方形単位マットＢ１の辺を突き合わせて連結したマットを示す図である。
図６（Ａ)は、両方ともボール孔Ｈを備えないもの、図６（Ｂ）は、一方がボール孔Ｈを備えたものを示す。
また三角形状単位マットＡ１の短辺に、正方形単位マットＢ１の辺を突き合わせて連結することによって、より大きい面積を有する台形のマットにできる。
【００２４】
図７は、三角形状単位マットＡ１、Ａ３の短辺に、正方形単位マットＢ１の辺を突き合わせて連結したマットを示す図である。
図７(Ａ)は、両方ともボール孔Ｈを備えないもの、図７（Ｂ）は、一方がボール孔Ｈを備えたものを示す。
このような種々のパターンを組み合わせることにより、マット全体の形を自由に選ぶことができるのである。
次に正方形単位マットＢと三角形状単位マットＡとの連結により構成される一定面積の形を有するゴルフ用パター練習マットの例を示す。
【００２５】
図８は、その連結されたゴルフ用パター練習マットの例を示す図であり、６個の矩形単位マットＢ１と、１個の三角形状単位マットＡ２と、ホール孔Ｈのある２個の三角形状単位マットＡ５とで、１列組み合わせの長尺型の連結マットを構成したものである。
【００２６】
図９は、１０個の正方形単位マットＢ１と、２個の三角形状単位マットＡ２と、ホール孔Ｈのある２個の三角形状単位マットＡ５とで、２列組み合わせの連結マットを構成したものである。
【００２７】
図１０は、９個正方形単位マットＢ１と、２個の三角形状単位マットＡ２と、ホール孔Ｈのある１個の三角形状単位マットＡ５とで、２列組み合わせの連結マットを構成したものである。
さて上述したように、三角形状単位マットＡや正方形単位マットＢには、ボール孔Ｈを備えたものがあるが、このボール孔Ｈの位置に起伏があると自然のグリーンのホールに近いものとなる。
そのためボール孔Ｈに取り外し自在なキャップ枠１を装着することにより、落とし込み状態のボール孔Ｈにすることができる。
【００２８】
図１１は、そのボール孔Ｈにキャップ枠１を装着することにより落とし込み状態のボール孔Ｈにした例を示し、図１１（Ａ）はキャップ枠の斜視図を示し、図１１（Ｂ）はその側面を示す。
また鍔付のキャップ枠１を装着することにより周囲が高い状態のボール孔Ｈにすることができる。
【００２９】
図１２は、その鍔付のキャップ枠１を装着することによりボール孔Ｈの周囲が高い状態になった例を示し、図１２（Ａ）はキャップ枠の斜視図を示し、図１２（Ｂ）はその側面を示す。
また鍔付のキャップ枠１の鍔１１の厚みを円周方向に変えることにより、ボール孔Ｈのエッジの高さに変化を与えることができる。
【００３０】
図１３は、その厚みの異なった鍔付のキャップ枠１を装着した例を示し、図１３（Ａ）はキャップ枠の斜視図を示し、図１３（Ｂ）はその側面を示す。
またボール孔Ｈの周囲の領域を高くしたい場合は、キャップ枠１をマットの裏面より下に突出するようにする。
【００３１】
図１４は、底なしのキャップ枠１をマットの裏面より下に突出するようにすることで、ボール孔Ｈの高さに変化を与えた例を示し、図１４（Ａ）はキャップ枠の斜視図を示し、図１４（Ｂ）はその側面を示す。
【００３２】
なお図１１〜図１３に示すキャップ枠１は底部があるが、底なしのものにしてもよい。
以上、本発明を説明したが、本発明は実施の態様に限定されることなく、その目的に沿う限り変更が可能であることは言うまでもない。
三角形状単位マットの長辺の形状は、サイン曲線でも良いし、矩形の凹凸でも良い。
【００３３】
また、図１５（Ａ）に示すように曲面でなく直線でもよい。
またこの長辺は、図１５（Ｂ）に示すように嵌合のための凹凸が形成されていてもよい。
また単位マットは２層に限らず３層以上にすることも可能である。
【００３４】
図１６は、単位マットＭの厚みに勾配を与えたものを示し、図１６（Ａ）は、単位マットＭの連結部分に頂点がある例、図１６（Ｂ）は、単位マットＭを連結して連続する傾斜面を形成した例である。
上層部Ｍ１は一定の厚みであるが、下層部Ｍ２は、傾斜を有する層に形成されている。
この場合、実際のグリーンのアンジュレーションを想定することができる。
単位マットの辺に形成されている凹凸部の形状は、ダルマ状に限らず段状や三角形状があり、要は嵌め込んで連結できるものであれば採用可能である。
また三角形状単位マットＡのボール孔Ｈや正方形単位マットＢのボール孔Ｈは、偏心した位置にしているが、中心に形成してもよい。
三角形状単位マットＡの短辺は正方形単位マットの各辺と同じ大きさであるが、それらの辺の実際の大きさは、３５ｃｍより大きく、５０ｃｍより小さい方が好ましい。
３５ｃｍ以下では、実際のグリーン上の穴（１０.８ｃｍと）が形成しにくく、また５０ｃｍ以上では、取り扱いにくい。
【産業上の利用可能性】
【００３５】
本発明のゴルフ用パター練習マットは、単位マットを継ぎ足すことにより、延長が可能であり、ゴルフ用パター練習マットの面積を拡大できるものであり、また三角形状単位マットＡ１を組み込ませることにより、より複雑な形状のマットとなる。
【符号の説明】
【００３６】
１…キャップ枠
１１…鍔
Ａ（Ａ１、Ａ２、Ａ３、Ａ４、Ａ５、Ａ６、Ａ７、Ａ８）…三角形状単位マット
Ｂ（Ｂ１、Ｂ２）…正方形単位マット
Ｈ…ボール孔
Ｍ…単位マット
Ｍ１…上層部
Ｍ２…下層部
【図１】
2013226329.tif 000003
【図２】
2013226329.tif 000004
【図３】
2013226329.tif 000005
【図４】
2013226329.tif 000006
【図５】
2013226329.tif 000007
【図６】
2013226329.tif 000008
【図７】
2013226329.tif 000009
【図８】
2013226329.tif 000010
【図９】
2013226329.tif 000011
【図１０】
2013226329.tif 000012
【図１１】
2013226329.tif 000013
【図１２】
2013226329.tif 000014
【図１３】
2013226329.tif 000015
【図１４】
2013226329.tif 000016
【図１５】
2013226329.tif 000017
【図１６】
2013226329.tif 000018